(57)【要約】【課題】  一般ユーザーが随時、任意の対象物たとえばごみ収集袋、防鳥ネット、容器、植木鉢、物干し、物干し竿、テレビジョン受信機のアンテナ、ベランダの縁部、屋根瓦、雨樋、電柱、電線等に容易に貼り付けできる低コストの鳥忌避用ラベルを提供する。【解決手段】  鳥忌避用ラベルは、銅７０〜８０質量％およびヒ素５〜１５質量％を主要元素とする害鳥忌避性銅合金の粉末１０を４０重量%混入したインク３を、ラベル１００を構成する基材１の主平面に厚さ３０μm程度に塗布した構成。さらに、前記害鳥忌避性銅合金に鉛３〜１０質量％を添加した構成、さらに前記鉛の他に、錫５〜１０質量％を害鳥忌避性銅合金に添加した構成。【選択図】  図１
2006121901.tif 000002
【特許請求の範囲】
【請求項１】
銅７０〜８０質量％およびヒ素５〜１５質量％を主要元素とする害鳥忌避性銅合金を、ラベルを構成する基材の主平面に備えたことを特徴とする鳥忌避用ラベル。
【請求項２】
銅７０〜８０質量％およびヒ素５〜１５質量％を主要元素とする害鳥忌避性銅合金の粉末を混入したインク,または銅７０〜８０質量％およびヒ素５〜１５質量％を主要元素とする害鳥忌避性銅合金の粉末を混入した接着剤のいずれか一方を、ラベルを構成する基材の主平面に塗布したことを特徴とする鳥忌避用ラベル。
【請求項３】
ラベルを構成する基材の主平面に接着剤層または粘着剤層のいずれか一方と害鳥忌避性銅合金の粉末とを備えたものであって、前記害鳥忌避性銅合金が銅７０〜８０質量％およびヒ素５〜１５質量％を主要元素とすることを特徴とする鳥忌避用ラベル。
【請求項４】
銅７０〜８０質量％およびヒ素５〜１５質量％を主要元素とする害鳥忌避性銅合金の薄板に粘着材層と剥離紙を順に積層したことを特徴とする鳥忌避用ラベル。
【請求項５】
さらに害鳥忌避性銅合金に鉛３〜１０質量％を添加したことを特徴とする請求項１〜４のいずれか１項に記載の鳥忌避用ラベル。
【請求項６】
さらに害鳥忌避性銅合金に錫５〜１０質量％を添加したことを特徴とする請求項５記載の鳥忌避用ラベル。
【発明の詳細な説明】
【技術分野】
【０００１】
本発明は、ごみ収集袋、防鳥ネット、容器、植木鉢、物干し、物干し竿、テレビジョン受信機のアンテナ、ベランダの縁部、屋根瓦、マンションの屋上縁部、雨樋、電柱、電線農作物栽培用ハウス等の各種対象物に貼り付けて用いる鳥忌避用ラベル関する。
【背景技術】
【０００２】
ごみ収集袋をあさる烏、穀類・野菜・果実等の作物をついばむ鳩、雀、ヒヨドリ、ムクドリなどの害鳥忌避性銅合金として特開２００４−２１８０８５号公報が提案されている。
また、紙またはプラスチックシート等からなるごみ収集袋の表面に殺虫剤、殺菌剤、忌避剤を含有する印刷インキによりネット模様および天敵の目玉模様を表示してなるものが特開平１０−０５９５０３号公報に提案されている。
さらに、プラスチック製防鳥ネットにマイナスイオン発生剤を存在させたものが特開２００４−２７５０８８号公報に提案されている。
さらに、スプレー用忌避剤として木酢液と界面活性剤を用いたものが特開２００４−０４３３１４号公報に提案されている。
【特許文献１】特開２００４−２１８０８５号公報
【特許文献２】特開平１０−０５９５０３号公報
【特許文献３】特開２００４−２７５０８８号公報
【特許文献４】特開２００４−０４３３１４号公報
【発明の開示】
【発明が解決しようとする課題】
【０００３】
しかし、従来の前記特許文献１の発明においては、害鳥忌避性銅合金の線材、棒材、薄板または粉末等を一般ユーザー(消費者)が随時、任意の対象物たとえば防鳥ネット、ごみ収集袋、植木鉢、物干し、物干し竿、テレビジョン受信機のアンテナ、動物の餌等を入れた容器、マンションのベランダ縁部、マンションの屋上縁部、屋根瓦、雨樋、電柱、電線等に取り付けしにくい。また、害鳥忌避性銅合金のブロック体は使用している間に移動、紛失の恐れがある。
さらに、従来の前記特許文献２の発明においては、模様印刷したごみ収集袋の用途が限定され、鳥の学習効果によって目玉模様は長期にわたって役立たない。
さらに、従来の前記特許文献３の発明においては、製造工程が大がかりでコストが大きい。
さらに、従来の前記特許文献４の発明においては、臭気が問題となる。また、降雨による忌避剤流失等長期の効能維持に劣る場合がある。
【０００４】
本発明は、一般ユーザーが随時、任意の対象物に容易に貼り付けできる低コストの鳥忌避用ラベルを提供することを目的とする。
【課題を解決するための手段】
【０００５】
上記課題を解決するために本発明にかかる鳥忌避用ラベルは、銅７０〜８０質量％およびヒ素５〜１５質量％を主要元素とする害鳥忌避性銅合金を、ラベルを構成する基材の主平面に備えた構成とするのが好ましい。詳しくは、
本発明の第一の観点にかかる鳥忌避用ラベルは、銅７０〜８０質量％およびヒ素５〜１５質量％を主要元素とする害鳥忌避性銅合金の粉末を混入したインク,または銅７０〜８０質量％およびヒ素５〜１５質量％を主要元素とする害鳥忌避性銅合金の粉末を混入した接着剤(粘着剤)のいずれか一方を、ラベルを構成する基材の主平面に塗布した構成とするのが好ましい。
【０００６】
本発明の第二の観点にかかるは鳥忌避用ラベルは、ラベルを構成する基材の主平面に接着剤層と害鳥忌避性銅合金の粉末とを備えたものであって、前記害鳥忌避性銅合金が銅７０〜８０質量％およびヒ素５〜１５質量％を主要元素とするのが好ましい。
本発明の第三の観点にかかるは鳥忌避用ラベルは、銅７０〜８０質量％およびヒ素５〜１５質量％を主要元素とする害鳥忌避性銅合金の薄板に粘着材層と剥離紙を順に積層した構成とするのが好ましい。
【０００７】
本発明の第四の観点にかかる鳥忌避用ラベルは、第一〜第三の観点にかかる鳥忌避用ラベルにおいて、害鳥忌避性銅合金にさらに、鉛３〜１０質量％を添加した構成とするのが好ましい。
本発明の第五の観点にかかる鳥忌避用ラベルは、第五の観点にかかる鳥忌避用ラベルにおいて、害鳥忌避性銅合金にさらに、錫５〜１０質量％を添加した構成とするのが好ましい。
【発明の効果】
【０００８】
上記構成により本発明の鳥忌避用ラベルは、一般ユーザーが随時、任意の対象物に容易に貼り付けでき、いたって簡便に鳥害を防止できる。また、害鳥忌避を低コストで実現できる。さらに、使用している間に移動、紛失の恐れがない。
【発明を実施するための最良の形態】
【０００９】
上記第一〜第五の鳥忌避用ラベルにおいて、鳥忌避用ラベルを構成するシート状基材は、厚さ約３０μｍ〜１５０μｍのポリエチレンフィルム，ポリプロピレンフィルム等のポリオレフィン系樹脂フィルム、ポリエチレンテレフタレート等のポリエステル系樹脂，ポリスチレン系樹脂等の樹脂フィルム、またはこれらの樹脂からなる合成紙等とするのが好ましい。このほか、比較的厚肉（厚さ約８０−５００μｍ）で断熱性，クッション性等を有するポリスチレン系発泡樹脂シート，ポリオレフィン系発泡樹脂シート等が挙げられる。これらの各種フィルム、合成紙、発泡樹脂シート等として、熱収縮性を有するものを使用することもできる。勿論、クラフト紙、織布、不織布、アルミニウム等の金属シートなどとしてもよい。
【００１０】
シート状基材の一方の主平面に配設され、ラベルを対象物に貼りつける粘着剤層または接着剤層は、感圧性アクリル系粘着剤、シリコン系粘着剤、ゴム系粘着剤、水溶性接着剤、感熱性接着剤など公知の任意材料とすればよい。例えば、感熱性接着剤層は溶融押出しコーティング法等により形成される。感熱接着剤は、例えばエチレン−酢酸ビニル共重合体、エチレン−アクリル酸共重合体、エチレン−メタクリル酸共重合体、エチレン−アクリル酸エステル共重合体（エチレン−アクリル酸エチル、エチレン−アクリル酸２−エチルヘキシル等）、エチレン−メタクリル酸エステル共重合体（エチレン−メタクリル酸エチル等）等を主成分とする公知の各種剤種を適用でき、層厚は例えば１０μm〜１００μｍ程度とするのが好ましい。
【００１１】
前記粘着剤層に積層配設する離形シートは、２０μｍ〜１００μｍ程度の厚さを有する紙または樹脂フィルムの表面に公知の離形剤を塗布した構成とするのが好ましい。離形剤はたとえばシリコーン樹脂、フッ素系樹脂、脂肪族ワックスから選ばれた１種以上を主成分とする離形剤層を数μｍ〜１０μｍ程度コーティングしてなるものを用いるのが好ましい。勿論、不活性粒子を０．００５〜５重量％を含有するポリアルキレン２，６−ナフタレンジカルボキシレートからなる離形フィルムであってもよい。前記不活性粒子は粒径比（長径／短径）１．０〜１．２、かつ平均粒径０．０５〜５μｍの球状シリカ粒子とするのが好ましい。
【００１２】
害鳥忌避性銅合金の粉末粒子は数μｍ〜５０μｍ程度の粒径範囲とするのが好ましい。前記害鳥忌避性銅合金の粉末粒子を数重量%〜５０重量%程度含むインクまたは接着剤(粘着剤)としては澱粉糊、フッ素系樹脂、シリコン系樹脂、酢酸ビニール系樹脂、アクリル系樹脂、エポキシ系樹脂、メラミン系樹脂、ウレタン系樹脂、ゴム系等とするのが好ましい。
【００１３】
前記インクまたは接着剤(粘着剤)として特に制限はなく、例えば溶剤型、無溶剤型、エマルジョン型のいずれのタイプも用いることができ、紫外線照射により硬化するＵＶインクも使用することができる。前記インクまたは接着剤(粘着剤）の印刷厚さは１０μｍ〜１００μｍ程度とするのが好ましい。
印刷塗工の方法はスプレー、インクジェット、グラビア、スクリーン、フレキソ、オフセット印刷など任意の工法が可能である。
なお、前記害鳥忌避性銅合金の粉末粒子にセラミックコーティング、亜鉛メッキ、錫メッキ等の表面処理を行って数十nm〜数百nmの皮膜を形成し、ヒ素の溶出を防止する構成としてもよい。
【実施例１】
【００１４】
以下、本発明の実施例における鳥忌避用ラベルを図面と共に説明する。図１は本発明の一実施例における鳥忌避用ラベルの要部断面図である。
鳥忌避用ラベル１００は、銅７０〜８０質量％およびヒ素５〜１５質量％を主要元素とする害鳥忌避性銅合金の粉末１０を混入したインク３,または銅７０〜８０質量％およびヒ素５〜１５質量％を主要元素とする害鳥忌避性銅合金の粉末１０を混入した接着剤のいずれか一方を、基材１の主平面に塗布したことを特徴とする。さらに、前記害鳥忌避性銅合金に鉛３〜１０質量％を添加した構成とするのが好ましい。更に前記鉛の他に、錫５〜１０質量％を害鳥忌避性銅合金に添加した構成とするのが好ましい。
【００１５】
図1において符号１は厚さ１００μm程度の非晶質ポリエステル樹脂を主成分とする基材、２０は厚さ２０μm程度の感圧性アクリル系粘着剤層、４はシリコン系離形剤を数μm厚さにコーティングした離形シートであって厚さ１００μm程度、３は塩化ビニルとアクリル樹脂とを含有するインクで厚さ３０μm程度に印刷塗布されている。前記インク３に銅７０〜８０質量％およびヒ素５〜１５質量％を主要元素とする害鳥忌避性銅合金の粉末１０(粒径１０μm〜２０μm程度)を４０重量%程度混入した後、スクリーン印刷により塗布される。
【００１６】
前記インク３は、詳しくはビヒクルとして、（Ａ）塩化ビニル８８〜９５質量％および酢酸ビニル５〜１２質量％を含む単量体を共重合してなる、ガラス転移点（Ｔｇ）が７３〜８２℃である塩化ビニル−酢酸ビニル共重合体と、（Ｂ）ガラス転移点（Ｔｇ）が８０〜１１０℃であるアクリル樹脂とを含有するインキであって、ビヒクル中の（Ａ）塩化ビニル−酢酸ビニル共重合体の含有量が、４５〜８５質量％であり、ビヒクル中の（Ｂ）アクリル樹脂の含有量が、１５〜５５質量％である。
【００１７】
また、前記インキ３には、必要に応じてビヒクル以外の成分として、希釈、分散用の溶剤、顔料や染料等の着色剤、体質顔料、各種添加剤を含ませてもよい。
溶剤としては、メチルエチルケトン（ＭＥＫ）、メチルイソブチルケトン（ＭＩＢＫ）、シクロヘキサノン等のケトン類；酢酸エチル、酢酸ブチル、酢酸イソブチル、酢酸プロピル等のエステル類；エタノール、イソプロピルアルコール等のアルコール類などが挙げられる。
【００１８】
着色剤としては、チタン白、カーボンブラック、弁柄、黄鉛、群青等の無機顔料；アニリンブラック、キナクリドンレッド、イソインドリノンイエロー、フタロシアニンブルー等の有機顔料、その他染料等が挙げられる。
体質顔料としては、炭酸カルシウム、硫酸バリウム、シリカ、アルミナ等が挙げられる。
各種添加剤として、分散剤、可塑剤、安定剤、接着付与剤等が挙げられる。
【００１９】
非晶質ポリエステル樹脂としては、例えば、テレフタル酸、イソフタル酸などをジカルボン酸成分とし、エチレングリコール、１，４−ブタンジオール、１，４−シクロヘキサンジメタノールなどをグリコール成分とする共重合ポリエステル樹脂を挙げることができる。これらの中でも、テレフタル酸からなるジカルボン酸成分と、２５〜３５モル％の１，４−シクロヘキサンジメタノールと６５〜７５モル％のエチレングリコールからなるジオール成分とを共重合させた非晶質ポリエチレンテレフタレート系樹脂が好適である。
【００２０】
また、基材１を構成するフィルムは、非晶質ポリエステル樹脂に、晶質ポリエステル樹脂を配合したものとしてもよい。晶質ポリエステル樹脂としては、通常のポリエチレンテレフタレート樹脂、ポリブチレンテレフタレート樹脂などが挙げられる。配合比率は、非晶質ポリエステル樹脂が４０〜１００質量％、好ましくは６０〜９０質量％、晶質ポリエステル樹脂が０〜６０質量％、好ましくは１０〜４０質量％である。この晶質ポリエステル樹脂を配合することにより、基材フィルムの耐溶剤特性が改善されることとなる。
【００２１】
上記実施例においてインクに代え顔料、着色剤等を含まない接着剤、たとえばエポキシ系樹脂、アクリル系樹脂、塩化ビニル系樹脂、ゴム系などから選んだ一つとしてよい。
さらに図２に示すごとく、銅７０〜８０質量％およびヒ素５〜１５質量％を主要元素とする害鳥忌避性銅合金の粉末１０を混入したインク３を、ラベル２００を構成する基材１の裏面側主平面に塗布した構成としてもよい。即ち、インク３に重ねて粘着剤層２０、離形シート４を順次積層する構成としてもよい。
【００２２】
図３は実施例１におけるもう一つの鳥忌避用ラベルの要部断面図を示す。この場合の鳥忌避用ラベル３００は害鳥忌避性銅合金の粉末１０を混入したインクまたは接着剤を印刷塗布することに代え、鳥忌避性銅合金の粉末１０を混入したアクリル系粘着剤層２１を塗布した構成としている。
即ち、アクリル系粘着剤層２１に銅７０〜８０質量％およびヒ素５〜１５質量％を主要元素とする害鳥忌避性銅合金の粉末１０(粒径１０μm〜２０μm程度)を３０重量%程度混入した後、スクリーン印刷により塗布する構成としている。
図２、図３において基材１のもう一方の主平面側に公知のインクを用い任意の文字・図形を印刷塗布することは随時、実施してよいことは言うまでもない。
【実施例２】
【００２３】
図４は本発明の一実施例における鳥忌避用ラベルの要部断面図である。本実施例における鳥忌避用ラベル４００は、ラベルを構成する基材１の主平面に接着剤層４０または粘着剤層のいずれか一方と害鳥忌避性銅合金の粉末１０とを備えたものであって、前記害鳥忌避性銅合金１０が銅７０〜８０質量％およびヒ素５〜１５質量％を主要元素とすることを特徴とする。
さらに、前記害鳥忌避性銅合金に鉛３〜１０質量％を添加した構成とするのが好ましい。更に前記鉛の他に、錫５〜１０質量％を害鳥忌避性銅合金に添加した構成とするのが好ましい。
【００２４】
図４において符号１は厚さ１００μm程度の非晶質ポリエステル樹脂を主成分とする基材、２０は塗布厚さ２０μm程度の感圧性アクリル系粘着剤層、４はシリコン系離形剤を数μm厚さにコーティングした離形シートであって厚さ１００μm程度、４０は合成樹脂からなる接着剤、たとえば塩化ビニルとアクリル樹脂とを含有する接着剤を厚さ３０μm程度に印刷塗布してなる接着剤層である。さらに、硬化前の接着剤層４０上に銅７０〜８０質量％およびヒ素５〜１５質量％を主要元素とする害鳥忌避性銅合金の粉末１０(粒径１０μm〜１００μm程度)を一面に隙間なくびっしり散布し、接着固定した構成としている。なお、図４の実施例において接着剤層４０は別段、アクリル系等の粘着剤層としてもよい。
【実施例３】
【００２５】
図５は本発明の一実施例における害鳥忌避用ラベルの要部断面図である。本実施例における害鳥忌避用ラベル５００は、銅７０〜８０質量％およびヒ素５〜１５質量％を主要元素とする害鳥忌避性銅合金の薄板１５に粘着材層２０と剥離紙４を順に積層し、金属ラベルを構成したことを特徴とする。
さらに、前記害鳥忌避性銅合金に鉛３〜１０質量％を添加した構成とするのが好ましい。更に前記鉛の他に、錫５〜１０質量％を害鳥忌避性銅合金に添加した構成とするのが好ましい。
【００２６】
害鳥忌避性銅合金の薄板１５は厚さ２０μm〜１００μm程度とするのが好ましい。符号２０は塗布厚さ２０μm程度の感圧性アクリル系粘着剤層、４はシリコン系離形剤を数μm厚さにコーティングした離形シートであって厚さ１００μm程度とするのが好ましい。
この場合も、害鳥忌避性銅合金の薄板１５のもう一方の主平面側に公知のインクを用い任意の文字・図形を印刷塗布することは随時、実施してよい。
【００２７】
上記実施例１〜３の構成により本発明の害鳥忌避用ラベルは、一般ユーザーが随時、任意の対象物に容易に貼り付けでき、いたって簡便に鳥害を防止できる。また、鳥忌避を低コストで実現できる。さらに、使用している間に移動、紛失の恐れがない。
なお、ラベルの寸法は貼り付け対象物に応じて任意に設定してよいことは言うまでもない。例えば、植木鉢に貼り付ける場合は縦４ｃｍ、横５ｃｍ、ごみ収集袋に貼り付ける場合は縦１０ｃｍ、横１５ｃｍ、フェンスやベランダの縁部に貼り付ける場合は縦５ｃｍ、横５０ｃｍのテープ状等とすればよい。勿論、大型のシート状としてもよい。
【産業上の利用可能性】
【００２８】
本発明は鳥忌避用ラベルの他に、任意形状のシールとして、またはシート状、長尺のテープ状などにも構成でき、一般ユーザー(消費者)が随時、任意の対象物たとえば防鳥ネット、ごみ収集袋、植木鉢(プランター)、物干し、物干し竿、動物の餌等を入れた容器、雨樋、テレビジョン受信機のアンテナ、屋根瓦、ビニール等のプラスチックフィルムで覆った農産物栽培用ハウス、街路樹、フェンス、マンションのベランダ縁部、マンションの屋上縁部、電柱、電線等に貼り付け、または巻回使用できる。ラベル１００を貼り付けたごみ収集袋６００の一例を図6に示す。ごみ収集袋６００はビニール、またはポリエチレン等のプラスチックフィルム、または紙など一般市販品を用いればよい。
【図面の簡単な説明】
【００２９】
【図１】本発明の一実施例における鳥忌避用ラベルの要部断面図
【図２】本発明の一実施例における鳥忌避用ラベルの要部断面図
【図３】本発明の一実施例における鳥忌避用ラベルの要部断面図
【図４】本発明の一実施例における鳥忌避用ラベルの要部断面図
【図５】本発明の一実施例における鳥忌避用ラベルの要部断面図
【図６】本発明の一実施例における鳥忌避用ラベルを貼り付けたごみ収集袋の外観斜視図
【符号の説明】
【００３０】
１  基材
３  インク(接着剤)
４  離形シート
１０  害鳥忌避性銅合金の粉末
１５  害鳥忌避性銅合金の薄板
２０、２１  粘着剤層
４０  接着剤層
１００、２００、３００、４００、５００  ラベル
６００  ごみ収集袋
【図１】
2006121901.tif 000003
【図２】
2006121901.tif 000004
【図３】
2006121901.tif 000005
【図４】
2006121901.tif 000006
【図５】
2006121901.tif 000007
【図６】
2006121901.tif 000008